(57)【特許請求の範囲】
【請求項１】
第一コネクタと、該第一コネクタの相手方コネクタである第二コネクタと、該第一コネクタを収容すると共に、該第一コネクタ側に該第二コネクタを案内するガイド部材と、該ガイド部材に該第一コネクタを位置決め保持する係止手段とを備える低挿入力コネクタにおいて、
前記ガイド部材は、前記第一コネクタを収容し、且つ、前記第二コネクタを案内する相対向する側壁と、該側壁の何れか一方に突設されたリブとを備え、
該第一コネクタは、ハウジングと、該ハウジングに突設されたカム突起とを備え、
該第二コネクタは、該第一コネクタの受け部を有する他のハウジングと、該受け部を構成する壁部に形成され、該第一コネクタの該カム突起を案内する直線状のガイド溝と、該受け部の該壁部に回動自在に設けられた回転板と、該回転板の周縁に突設され、該ガイド部材の該リブに当接して該回転板を一又は他方向に回動させる二つのレバー突起と、該回転板に形成され、該回転板の回動方向に応じて、該カム突起に該ガイド溝の終端又は始端方向の力を加える略円弧状のカム溝とを備え、
前記係止手段は、該ガイド部材の両側壁又は該第一コネクタの該ハウジングの両側壁の何れか一方に突設された弾性を有する係止爪と、他方に形成され該係止爪に対応する係止凹部とを備え、
該第一コネクタが該第二コネクタに押されることで、該係止爪と、該係止凹部とのかみ合いが解除され、且つ、該第一コネクタが該第二コネクタの該受け部に挿入されて、両コネクタが互いに嵌合されることを特徴とする低挿入力コネクタ。
【請求項２】
前記ガイド部材又は前記第二コネクタの何れか一方を車両のインストルメントパネルに設けると共に、他方を該インストルメントパネルに取り付けられる機器に設け、
該第二コネクタを該ガイド部材に挿入しつつ、該インストルメントパネルに該機器を取り付けたとき、該取り付けの完了前または該取り付けの完了と同時に、該ガイド部材を介して、前記第一コネクタ及び該第二コネクタが互いに嵌合されることを特徴とする請求項１記載の低挿入力コネクタ。
【請求項３】
前記係止手段の前記係止爪に代えて、該係止手段は、前記ガイド部材の両側壁に突設した板ばね状の係止片とされたことを特徴とする請求項１又は２記載の低挿入力コネクタ。
【請求項４】
前記ガイド部材の両側壁又は前記第二コネクタの前記ハウジングの両側壁の何れか一方に摺動溝を形成し、他方に該摺動溝に案内される摺動突条を突設したことを特徴とする請求項１〜３の何れか１項に記載の低挿入力コネクタ。
【請求項５】
車両のインストルメントパネルに設けられた取付孔に係止される雄コネクタと、該インストルメントパネルに取り付けられる機器に設けられた雌コネクタとを備える低挿入力コネクタにおいて、
前記雄コネクタは、空間を介して上下に分割された雌端子収容室と、該空間内に突設されたカム突起と、該雄コネクタが前記インストルメントパネルの前記取付孔に挿入されたときに、該取付孔の周縁に係止される係止アームとを備え、
前記雌コネクタは、該雄コネクタの収容可能な壁部に一条の切欠を形成した受け部と、該受け部内に設けられ、他の空間を介して上下に分割された雄端子収容室と、該他の空間内に回動自在に設けられた回転板と、該回転板の周縁に設けられ、該受け部の該切欠から突出し、該インストルメントパネルの取付孔周縁に当接して該回転板を一又は他方向に回動させる二つのレバー突起と、該回転板に形成され、該回転板の回動方向に応じて該カム突起を従動させ、該雄コネクタを該雌コネクタに対して接離させる略円弧状のカム溝とを備え、
該インストルメントパネルに前記機器が取り付けられる際に、該雌コネクタの該受け部に該雄コネクタが挿入されつつ該雌コネクタが該取付孔に挿入され、該雄コネクタの該係止アームと、該インストルメントパネルの該取付孔との係止が解除されて、該係止アームが該雌コネクタの該受け部内に収容されることを特徴とする低挿入力コネクタ。
【請求項６】
前記雌コネクタの受け部周壁に、逃がし孔を設け、これに対する前記雄コネクタの外壁に、前記インストルメントパネルの前記取付孔に係止すると共に、該雌コネクタの該逃がし孔に収まる前記係止アームを設けたことを特徴とする請求項５記載の低挿入力コネクタ。
【発明の詳細な説明】
【０００１】
【発明の属する技術分野】
本発明は、互いに取り付けられる二種以上の部材、例えば、車両のインストルメントパネルと、該インストルメントパネルに取り付けられる機器とに設けられたコネクタに関し、特に、インストルメントパネルに機器を取り付けると同時に、両者のコネクタ嵌合を行なうことができ、かかるコネクタ嵌合の低挿入力化を図ることができる低挿入力コネクタに関する。
【０００２】
【従来の技術】
従来、二種以上の部材間の取り付けと同時に、両者のコネクタ嵌合を行なうものとして、特開平８−２４１７５６号のプラグイン方式のコネクタが存在する。
図９は従来のプラグイン方式のコネクタを示す側面断面図である。
【０００３】
同図において、１１０は電子機器ユニットであり、１２０は該電子機器ユニット１１０が収納されるシャーシである。
電子機器ユニット１１０の背面には、雌コネクタ１３１が突設してあり、シャーシ１２０の奥壁には、アダプタ１３２ａを介して、雌コネクタ１３１に対応する雄コネクタ１３２が取り付けてある。
この雌コネクタ１３１と雄コネクタ１３２は、雌コネクタ１３１に雄コネクタ１３２が挿入されることにより、互いに嵌合するプラグイン方式となっている。
【０００４】
このような構成によれば、電子機器ユニット１１０をシャーシ１２０に押し込むことにより、雌コネクタ１３１と雄コネクタ１３２が互いに嵌合し、電子機器ユニット１１０をシャーシ１２０に取り付けると同時に、雌コネクタ１３１と雄コネクタ１３２の電気的接続を行なうことができる。
【０００５】
【発明が解決しようとする課題】
ところが、上述した従来のプラグイン方式のコネクタでは、単に雌コネクタ１３１と雄コネクタ１３２を互いに嵌合させる構成となっていたため、互いの端子数が増大した場合（多極化という）は、両コネクタ１３１，１３２を嵌合させるときに、大きな挿入力が必要になるという問題があった。
【０００６】
また、雌コネクタ１３１と雄コネクタ１３２の挿入力が大きくなることにより、両コネクタ１３１，１３２の半嵌合が生じやすくなるという問題もあった。
【０００７】
さらに、雌コネクタ１３１と雄コネクタ１３２の挿入力が大きくなることにより、電子機器ユニット１１０をシャーシ１２０に押し込む力も大きくなり、これら電子機器ユニット１１０とシャーシ１２０の筐体の剛性を高くしなければならないという問題があった。
【０００８】
なお、雄雌コネクタの低挿入力化を図ったコネクタとして、例えば、特開平５−１１４４３６号で提案されているレバー式コネクタがある。
図１０は従来のレバー式コネクタを示す側面断面図である。
【０００９】
同図において、該レバー式コネクタは、車両に配索されたワイヤハーネス相互の接続を行なうものであり、車両パネル２０１に取り付けられたコネクタボックス２１０と、該コネクタボックス２１０内に収容された第一コネクタ（雄コネクタ）２２０と、該第一コネクタ２２０のハウジングに回動自在に設けられたレバー２３０と、第一コネクタ２２０の相手方コネクタである第二コネクタ（雌コネクタ）２４０とによって構成してある。
【００１０】
また、第二コネクタ２４０の両側には、カム突起２４１が突設してあり、レバー２３０には、該カム突起２４１をガイドする略円弧状のカム溝２３１が形成してある。
【００１１】
上記構成からなる従来のレバー式コネクタによれば、図１１（ａ）〜（ｄ）に示すように、第一コネクタ２２０をコネクタボックス２１０内にセットし、次いで、第二コネクタ２４０を第一コネクタ２２０に対応させつつ、コネクタボックス２１０内に押し込むと、第二コネクタ２４０のカム突起２４１が、レバー２３０のカム溝２３１に案内され、コネクタボックス２１０内において、低挿入力で第一及び第二コネクタ２２０，２４０を互いに嵌合させることができる。
【００１２】
しかし、上述した従来のレバー式コネクタでは、第二コネクタ２４０の押し込み具合や外観にもとづいて、第一及び第二コネクタ２２０，２４０の嵌合が完了したか否かを、触覚的，視覚的に確認することができないという問題があった。
【００１３】
本発明は、上記問題点に鑑みてなされたものであり、二種以上の部材間の取り付けと同時に、両者のコネクタ嵌合を行なうことができるとともに、かかるコネクタ嵌合の低挿入力化を図れ、また、コネクタ間の嵌合の完了を触覚的及び外観的に確認することができる低挿入力コネクタの提供を目的とする。
【００１４】
【課題を解決するための手段】
上記目的を達成するために、本発明の請求項１記載の低挿入力コネクタは、第一コネクタと、該第一コネクタの相手方コネクタである第二コネクタと、該第一コネクタを収容すると共に、該第一コネクタ側に該第二コネクタを案内するガイド部材と、該ガイド部材に該第一コネクタを位置決め保持する係止手段とを備える低挿入力コネクタにおいて、
前記ガイド部材は、前記第一コネクタを収容し、且つ、前記第二コネクタを案内する相対向する側壁と、該側壁の何れか一方に突設されたリブとを備え、
該第一コネクタは、ハウジングと、該ハウジングに突設されたカム突起とを備え、
該第二コネクタは、該第一コネクタの受け部を有する他のハウジングと、該受け部を構成する壁部に形成され、該第一コネクタの該カム突起を案内する直線状のガイド溝と、該受け部の該壁部に回動自在に設けられた回転板と、該回転板の周縁に突設され、該ガイド部材の該リブに当接して該回転板を一又は他方向に回動させる二つのレバー突起と、該回転板に形成され、該回転板の回動方向に応じて、該カム突起に該ガイド溝の終端又は始端方向の力を加える略円弧状のカム溝とを備え、
前記係止手段は、該ガイド部材の両側壁又は該第一コネクタの該ハウジングの両側壁の何れか一方に突設された弾性を有する係止爪と、他方に形成され該係止爪に対応する係止凹部とを備え、
該第一コネクタが該第二コネクタに押されることで、該係止爪と、該係止凹部とのかみ合いが解除され、且つ、該第一コネクタが該第二コネクタの該受け部に挿入されて、両コネクタが互いに嵌合されることを特徴とする。
【００１５】
上記構成からなる本低挿入力コネクタでは、まず、係止手段によって第一コネクタをガイド部材に位置決め保持するとともに、第二コネクタの回転板を回動させて、ガイド溝とカム溝の始端（開口端）を一致させる。
次いで、該ガイド部材に沿って、第二コネクタを第一コネクタ側に前進させると、第二コネクタの受け部に第一コネクタの先端側が挿入される。
これと同時に、第二コネクタのガイド溝及びカム溝に、第一コネクタのカム突起が導入される。
【００１６】
その後、さらに第二コネクタを第一コネクタ側に前進させると、ガイド部材のリブに回転板の一方のレバー突起が当接し、回転板が一方向に回動する。
【００１７】
これにより、該回転板のカム溝が、第一コネクタのカム突起にガイド溝の終端方向の力を加え、カム突起をガイド溝の終端側に引っ張り、第二コネクタの受け部に第一コネクタが嵌合される。
【００１８】
このように、本低挿入力コネクタによれば、カム溝が、カム突起にガイド溝の終端方向の力を加えることにより、第一コネクタの第二コネクタへの挿入力が軽減され、第二コネクタをガイド部材に沿って前進させるだけで、第二コネクタの受け部に第一コネクタを低挿入力で嵌合させることができる。
【００１９】
また、簡単な構成によって第一コネクタをガイド部材に位置決め保持することができるとともに、第二コネクタをガイド部材に沿って前進させることにより、第一コネクタの係止を簡単に解除することができる。
【００２０】
また、係止爪と係止凹部の係止が解除されないときは、第一及び第二コネクタが嵌合していない場合であり、これら第一及び第二コネクタが嵌合していない場合は、機器をインストルメントパネルに取り付けることができないので、これに基づいて第一及び第二コネクタの嵌合確認を行なうことができる。
【００２１】
請求項２記載の低挿入力コネクタは、請求項１記載の低挿入力コネクタにおいて、前記ガイド部材又は前記第二コネクタの何れか一方を車両のインストルメントパネルに設けると共に、他方を該インストルメントパネルに取り付けられる機器に設け、
該第二コネクタを該ガイド部材に挿入しつつ、該インストルメントパネルに該機器を取り付けたとき、該取り付けの完了前または該取り付けの完了と同時に、該ガイド部材を介して、前記第一コネクタ及び該第二コネクタが互いに嵌合されることを特徴とする。
【００２２】
このような構成によれば、機器をインストルメントパネルに取り付けると同時に、第一及び第二コネクタを互いに嵌合させることができ、機器をワンタッチでインストルメントパネルに取り付けることができる。
【００２３】
また、機器の取り付け完了によって、第一及び第二コネクタの嵌合の完了を触覚的（例えば、機器とインストルメントパネルの当接）及び視覚的（例えば、機器とインストルメントパネルの外形の一致）に確認することができる。
【００２４】
請求項３記載の低挿入力コネクタは、請求項１又は２記載の低挿入力コネクタにおいて、前記係止手段の前記係止爪に代えて、該係止手段は、前記ガイド部材の両側壁に突設した板ばね状の係止片とされたことを特徴とする。
【００２５】
このような構成によっても、上記請求項１と同様に、第一コネクタをガイド部材に位置決め保持することができる。
【００２６】
請求項４記載の低挿入力コネクタは、請求項１〜３の何れか１項に記載の低挿入力コネクタにおいて、前記ガイド部材の両側壁又は前記第二コネクタの前記ハウジングの両側壁の何れか一方に摺動溝を形成し、他方に該摺動溝に案内される摺動突条を突設したことを特徴とする。
【００２７】
このような構成によれば、摺動溝に沿って摺動突条を摺動させることにより、第二コネクタをガイド部材に沿って前進させやすくなる。
【００２８】
請求項５記載の低挿入力コネクタは、車両のインストルメントパネルに設けられた取付孔に係止される雄コネクタと、該インストルメントパネルに取り付けられる機器に設けられた雌コネクタとを備える低挿入力コネクタにおいて、
前記雄コネクタは、空間を介して上下に分割された雌端子収容室と、該空間内に突設されたカム突起と、該雄コネクタが前記インストルメントパネルの前記取付孔に挿入されたときに、該取付孔の周縁に係止される係止アームとを備え、
前記雌コネクタは、該雄コネクタの収容可能な壁部に一条の切欠を形成した受け部と、該受け部内に設けられ、他の空間を介して上下に分割された雄端子収容室と、該他の空間内に回動自在に設けられた回転板と、該回転板の周縁に設けられ、該受け部の該切欠から突出し、該インストルメントパネルの取付孔周縁に当接して該回転板を一又は他方向に回動させる二つのレバー突起と、該回転板に形成され、該回転板の回動方向に応じて該カム突起を従動させ、該雄コネクタを該雌コネクタに対して接離させる略円弧状のカム溝とを備え、
該インストルメントパネルに前記機器が取り付けられる際に、該雌コネクタの該受け部に該雄コネクタが挿入されつつ該雌コネクタが該取付孔に挿入され、該雄コネクタの該係止アームと、該インストルメントパネルの該取付孔との係止が解除されて、該係止アームが該雌コネクタの該受け部内に収容されることを特徴とする。
【００２９】
上記構成からなる本低挿入力コネクタでは、あらかじめインストルメントパネルの取付孔に雄コネクタを係合させておき、該インストルメントパネルに機器を取り付ける際に、雌コネクタの受け部に雄コネクタを挿入させつつ、該雌コネクタをインストルメントパネルの取付孔に挿入させる。
このとき、雌コネクタの回転板に設けたカム溝に、雄コネクタのカム突起が導入される。
【００３０】
そして、雌コネクタの挿入にともなって、回転板の一方のレバー突起がインストルメントパネルの取付孔周縁に当接し、該回転板が一方向に回動する。
これにより、回転板のカム溝が、該溝の終端側にカム突起を従動させ、雄コネクタを雌コネクタに対して接近させる。
その後、さらに雌コネクタを挿入すると、雌コネクタの受け部に雄コネクタが完全嵌合される。
【００３１】
このように、本低挿入力コネクタによれば、請求項１〜４記載の低挿入力コネクタと同様、インストルメントパネルに機器を取り付けると同時に、雄雌コネクタを互いに嵌合させることができるとともに、請求項１〜４記載の低挿入力コネクタにおけるガイド部材を省略して、構成の簡単化と軽量化を図ることができる。
【００３２】
請求項６記載の低挿入力コネクタは、請求項５記載の低挿入力コネクタにおいて、前記雌コネクタの受け部周壁に、逃がし孔を設け、これに対する前記雄コネクタの外壁に、前記インストルメントパネルの前記取付孔に係止すると共に、該雌コネクタの該逃がし孔に収まる前記係止アームを設けたことを特徴とする。
【００３３】
このような構成によれば、係止アームをインストルメントパネルの取付孔に係止させることにより、該取付孔に挿入される雌コネクタに対して、雄コネクタを位置決め固定することができ、これら雄雌コネクタの嵌合をスムーズに行なうことができるようになる。
【００３４】
【発明の実施の形態】
以下、本発明の低挿入力コネクタの実施形態について、図面を参照しつつ説明する。
まず、本発明の第一実施形態に係る低挿入力コネクタについて説明する。
図１は本発明の第一実施形態に係る低挿入力コネクタを示す分解斜視図である。また、図２は上記低挿入力コネクタを設けたインストルメントパネルと機器を示す斜視図である。
【００３５】
本実施形態では、低挿入力コネクタを構成する第一コネクタ及びガイド部材を、車両のインストルメントパネルに設け、また、第二コネクタを該インストルメントパネルに取り付けられる機器に設けた構成としてある。
【００３６】
図１において、本実施形態の低挿入力コネクタは、主として、第一コネクタ１０と、該第一コネクタ１０の相手方コネクタである第二コネクタ２０と、第一コネクタ１０を収容するとともに、該第一コネクタ１０側に第二コネクタ２０を案内するガイド部材３０とで構成してある。
【００３７】
第一コネクタ１０は雄コネクタであり、そのハウジング１１内に多数の雌端子が収容してある。また、該ハウジング１１の先端側には、円柱状のカム突起１２が突設してある。さらに、該ハウジング１１の両側には、下記ガイド部材３０の係止爪（係止手段）３３ａ，３３ｂに対応する係止凹部（係止手段）１３ａ，１３ｂが形成してある。
【００３８】
ガイド部材３０は、第一コネクタ１０を収容し、かつ、第二コネクタ２０を案内する相対向する側壁３１ａ，３１ｂと、一方の側壁３１ａに突設されたリブ３２とを有する。
【００３９】
また、両側壁３１ａ，３１ｂには、弾性を有する前記係止爪３３ａ，３３ｂが一体的に形成してある。これら係止爪３３ａ，３３ｂは、第一コネクタ１０の係止凹部１３ａ，１３ｂにかみ合って、ガイド部材３０内に第一コネクタ１０を位置決め保持する。
【００４０】
第二コネクタ２０は雌コネクタであり、図示しないが、そのハウジング２１内に多数の雄端子が収容してある。
該ハウジング２１の先端側は、第一コネクタ１０の受け部２２となっており、該受け部２２を構成する壁部には、第一コネクタ１０のカム突起１２を案内する直線状のガイド溝２３が形成してある。
【００４１】
また、受け部２２の前記壁部には、回動軸２７を介して回転板２４が回動自在に設けてある。該回転板２４の周縁には、ガイド部材３０に第二コネクタ２０を挿抜したとき、ガイド部材３０のリブ３２に当接して該回転板２４を一又は他方向に回動させる二つのレバー突起２５ａ，２５ｂが突設してある。
【００４２】
さらに、回転板２４には、該回転板２４の回動方向に応じて、第一コネクタ１０のカム突起１２に、ガイド溝２３の終端又は始端（開口端）方向の力を加える略円弧状のカム溝２６が形成してある。
【００４３】
図２に示すように、上記ガイド部材３０は、車両のインストルメントパネル１の収納部１ａ内に取り付けてある。また、該ガイド部材３０内には、第一コネクタ１０が、係止爪３３ａ，３３ｂ及び係止凹部１３ａ，１３ｂによって位置決め保持してある。
【００４４】
一方、上記第二コネクタ２０は、インストルメントパネル１の収納部１ａに収納される機器（例えば、エアコンディショナ及びカーオーディオ）２の背面に突設してある。
【００４５】
ここで、第二コネクタ２０のガイド溝２３の全長は、機器２の係止リブ２ａの突出長より短く、もしくは、同じ長さとしてあり、第二コネクタ２０をガイド部材３０に案内させつつ、インストルメントパネル１の収納部１ａに機器２を取り付けたとき、該取り付けの完了前あるいは該取り付けの完了と同時に、ガイド部材３０を介して、第一及び第二コネクタ１０，２０が互いに嵌合されるようにしてある。
【００４６】
次に、上記低挿入力コネクタの挿抜動作について図３及び図４を参照しつつ説明する。
図３（ａ），（ｂ），（ｃ）は上記低挿入力コネクタの挿入動作を示す説明図であり、また、図４（ａ），（ｂ），（ｃ）は上記低挿入力コネクタの抜き取り動作を示す説明図である。
【００４７】
まず、係止爪３３ａ，３３ｂ及び係止凹部１３ａ，１３ｂをかみ合わせることによって、インストルメントパネル１に設けられたガイド部材３０に第一コネクタ１０を位置決め保持する。
また、第二コネクタ２０の回転板２４を回動させて、ガイド溝２３とカム溝２６の開口端（始端）を互いに重複させる。
【００４８】
そして、図３（ａ）に示すように、ガイド部材３０に第二コネクタ２０を挿入しつつ、インストルメントパネル１の収納部１ａに向かって機器２を押し込む。  すると、ガイド部材３０に沿って、第二コネクタ２０が第一コネクタ１０側に前進し、第二コネクタ２０の受け部２２に第一コネクタ１０の先端側が挿入される。
【００４９】
これと同時に、第一コネクタ１０のカム突起１２が、第二コネクタ２０のガイド溝２３及びカム溝２６の開口端に導入される。
また、このとき、ガイド部材３０のリブ３２と、回転板２４のレバー突起２５ｂとの間に隙間Ｌ1が形成され、該レバー突起２５ｂがリブ３２を通過する。
【００５０】
さらに機器２がインストルメントパネル１に押し込まれると、図３（ｂ）に示すように、第二コネクタ２０の前進にともなって、もう一方のレバー突起２５ａがリブ３２に当接し、回転板２４が図中矢印方向に回動する。
これによって、カム溝２６が、カム突起１２にガイド溝２３の終端方向の力を加え、該カム突起１２をガイド溝２３の終端側に引き寄せる。この結果、第一コネクタ１０が、第二コネクタ２０の受け部２２により深く挿入される。
【００５１】
さらに機器２がインストルメントパネル１に押し込まれると、図３（ｃ）に示すように、第一コネクタ１０が第二コネクタ２０に押され、係止爪３３ａ，３３ｂと係止凹部１３ａ，１３ｂのかみ合いが解除される。
そして、第一コネクタ１０が、第二コネクタ２０の受け部２２に完全に挿入され、両コネクタ１０，２０が互いに嵌合される。
【００５２】
その後、機器２がインストルメントパネル１の収納部１ａに収納されたと同時に、第二コネクタ２０の当接部２８ａ，２８ｂが、ガイド部材３０の両側壁３１ａ，３１ｂに当接し、第二コネクタ２０の前進が規制される。
このように、機器２がインストルメントパネル１の収納部１ａに取り付けられたことによって、作業者は、触覚的及び視覚的に両コネクタ１０，２０の嵌合の完了を確認することができる。
【００５３】
次に、機器２をインストルメントパネル１の収納部１ａから引き出すと、図４（ａ）に示すように、互いに嵌合しあう第一及び第二コネクタ１０，２０が、ガイド部材３０に沿って後退し、係止爪３３ａ，３３ｂと係止凹部１３ａ，１３ｂが再びかみ合う。
【００５４】
また、このとき、図３（ｃ）に示すように、ガイド部材３０のリブ３２と、回転板２４のレバー突起２５ａとの間に隙間Ｌ2が形成されているので、図４（ａ）に示す第二コネクタ２０の後退にともなって、該レバー突起２５ａがリブ３２を通過する。
【００５５】
そして、さらに機器２がインストルメントパネル１から引き出されると、図４（ｂ）に示すように、第二コネクタ２０の後退にともなってレバー突起２５ｂが該リブ３２に当接し、回転板２４が図中矢印方向に回動する。
これによって、カム溝２６が、カム突起１２にガイド溝２３の開口端方向の力を加え、該カム突起１２をガイド溝２３の開口端側に押し出す。この結果、第二コネクタ２０と第一コネクタ１０の嵌合が解除される。
【００５６】
その後、さらに機器２がインストルメントパネル１から引き出されると、図４（ｃ）に示すように、第二コネクタ２０の受け部２２から第一コネクタ１０が離脱され、機器２がインストルメントパネル１の収納部１ａから取り外される。
【００５７】
このように本実施形態の低挿入力コネクタによれば、カム溝２６が、カム突起１２にガイド溝２３の終端方向の力を加えることにより、第一コネクタ１０の第二コネクタ２０への挿入力が軽減され、第二コネクタ２０をガイド部材３０に沿って前進させるだけで、第二コネクタ２０の受け部２２に第一コネクタ１０を低挿入力で嵌合させることができる。
【００５８】
また、機器２をインストルメントパネル１に取り付けると同時に、第一及び第二コネクタ１０，２０を互いに嵌合させることができ、機器２をワンタッチでインストルメントパネル１に取り付けることができる。
さらに、機器２の取り付け完了によって、第一及び第二コネクタ１０，２０の嵌合の完了を触覚的（例えば、機器２とインストルメントパネル１の当接）及び視覚的（例えば、機器２とインストルメントパネル１の外形の一致）に確認することができる。
【００５９】
これに加えて、係止凹部１３ａ，１３ｂと係止爪３３ａ，３３ｂとからなる簡単な構成の係止手段によって、第一コネクタ１０をガイド部材３０に位置決め保持することができるとともに、第二コネクタ２０をガイド部材３０に沿って前進させることにより、第一コネクタ１０の係止を簡単に解除することができる。
【００６０】
また、係止凹部１３ａ，１３ｂと係止爪３３ａ，３３ｂの係止が解除されないときは、第一及び第二コネクタ１０，２０が嵌合していない場合であり、これら第一及び第二コネクタ１０，２０が嵌合していない場合は、機器２をインストルメントパネル１の収納部１ａに取り付けることができないので、これに基づいて第一及び第二コネクタ１０，２０の嵌合確認を行なうことができる。
【００６１】
なお、上述した第一実施形態の場合と逆に、係止手段を構成する係止爪３３ａ，３３ｂを第一コネクタ１０に設けるとともに、該係止爪３３ａ，３３ｂにかみ合う係止凹部１３ａ，１３ｂをガイド部材３０の両側壁３１ａ，３１ｂに形成してもよい。
【００６２】
また、ガイド部材３０及び第一コネクタ１０を機器２側に設け、第二コネクタ２０をインストルメントパネル１側に突設してもよい。
さらに、本発明の低挿入力コネクタは、上記第一実施形態のように、インストルメントパネル１と機器２に限らず、互いに結合される種々の部材に応用することができる。
【００６３】
次に、本発明の第二実施形態に係る低挿入力コネクタについて、図５を参照しつつ説明する。
図５は本発明の第二実施形態に係る低挿入力コネクタを示すものであり、同図（ａ）はガイド部材の一側壁を示す一部切欠斜視図，同図（ｂ）は第二コネクタを示す斜視図である。
【００６４】
本実施形態に係る低挿入力コネクタは、図５（ａ）に示すように、第一コネクタ１０の係止手段として、ガイド部材３０の両側壁３１ａ（３１ｂ）に、板ばね状の係止片３４ａ（３４ｂ）を突設した構成としてある。
【００６５】
また、図５（ａ），（ｂ）に示すように、ガイド部材３０の両側壁３１ａ（３１ｂ）に摺動溝３５ａ（３５ｂ）を形成し、第二コネクタ２０の受け部２２の両側壁に、該摺動溝３５ａ（３５ｂ）に案内される摺動突条２９ａ，２９ｂを突設した構成としてある。
【００６６】
このような構成によれば、板ばね状の係止片３４ａ（３４ｂ）によって、第一実施形態における係止手段１３ａ，１３ｂ及び３３ａ，３３ｂと同様に、第一コネクタ１０をガイド部材３０に位置決め保持することができる。
【００６７】
また、摺動溝３５ａ（３５ｂ）に沿って摺動突条２９ａ，２９ｂを摺動させることにより、第二コネクタ２０をガイド部材３０に沿って前進又は後退させやすくなる。
【００６８】
次に、本発明の第三実施形態に係る低挿入力コネクタについて、図６〜図８を参照しつつ説明する。
図６は本発明の第三実施形態に係る低挿入力コネクタを示す分解斜視図である。また、図７（ａ），（ｂ），（ｃ）は上記低挿入力コネクタの挿入動作を示す側面断面図であり、同じく、図８（ａ），（ｂ），（ｃ）は上記低挿入力コネクタの挿入動作を示す平面断面図である。
【００６９】
図６において、本実施形態の低挿入力コネクタは、インストルメントパネル１の収納部１ａ（図２参照）に設けられた矩形の取付孔１ｂに係止される雄コネクタ４０，インストルメントパネル１に取り付けられる機器２に設けられた雌コネクタ５０からなっている。
【００７０】
雄コネクタ４０のハウジング４１には、空間４３を介して上下に分割された雌端子収容室４２，４２が設けてあり、空間４３内には、カム突起４４が突設してある。
また、ハウジング４１の外壁上下には、弾性を有する係止アーム４５，４５が設けてあり、外壁両側末端には、係止リブ４６，４６が突設してある。
【００７１】
これら係止アーム４５，４５と係止リブ４６，４６は、雄コネクタ４０をインストルメントパネル１の取付孔１ｂに挿入したとき、該取付孔１ｂの周縁に係止する（図７参照）。
また、係止アーム４５，４５は、雄コネクタ４０を雌コネクタ５０の受け部５２に挿入したとき、該受け部５２に設けた逃がし孔５２ｂ，５２ｂに収まる（図７参照）。
【００７２】
雌コネクタ５０のハウジング５１には、雄コネクタ４０の収容可能な矩形の前記受け部５２が設けてあり、該受け部５２の壁部には、一条の切欠５２ａと前記逃がし孔５２ｂ，５２ｂが形成してある。
【００７３】
該受け部５２内には、他の空間５４を介して上下に分割された雄端子収容室５３，５３が設けてあり、他の空間５４内には、回転板５５が回動自在に取り付けてある。
【００７４】
該回転板５５の周縁には、受け部５２の切欠５２ａから突出し、インストルメントパネル１の取付孔１ｂ周縁に当接して該回転板５５を一又は他方向に回動させる二つのレバー突起５５ａ，５５ｂが突設してある。
【００７５】
また、回転板５５には、該回転板５５の回動方向に応じて、雄コネクタ４０のカム突起４４を従動させ、雄コネクタ４０を雌コネクタ５０に対して接離させる略円弧状のカム溝５５ｃが形成してある。
【００７６】
なお、逃がし孔５２ｂ，５２ｂの係止アーム４５，４５との当接面には、受け部５２側に傾斜するテーパ面５２ｃ，５２ｃが形成してある（図７参照）。
雌コネクタ５０を雄コネクタ４０から分離させるとき、逃がし孔５２ｂ，５２ｂに収まった係止アーム４５，４５（図７（ｃ）参照）が、該テーパ面５２ｃ，５２ｃによって受け部５２内に案内される（図７（ｂ）参照）。
【００７７】
次に、上記低挿入力コネクタの挿入動作について図７及び図８を参照しつつ説明する。
まず、図７（ａ）に示すように、あらかじめインストルメントパネル１の取付孔１ｂに雄コネクタ４０を係合させておく。
【００７８】
次いで、図７（ｂ）に示すように、該インストルメントパネル１に機器２を取り付ける際に、雌コネクタ５０の受け部５２に雄コネクタ４０を挿入させつつ、該雌コネクタ５０を取付孔１ｂに挿入させる。
【００７９】
すると、雄コネクタ４０の係止アーム４５，４５とインストルメントパネル１の取付孔１ｂとの係止が解除され、係止アーム４５，４５が雌コネクタ５０の受け部５２内に収容される。
また、このとき、図８（ａ）に示すように、雌コネクタ５０の回転板５５に設けたカム溝５５ｃに、雄コネクタ４０のカム突起４４が導入される。
【００８０】
そして、雌コネクタ５０の挿入にともなって、図８（ｂ）に示すように、回転板５５の一方のレバー突起５５ａがインストルメントパネル１の取付孔１ｂ周縁に当接し、該回転板５５が一方向に回動する。
【００８１】
これにより、回転板５５のカム溝５５ｃが、該溝５５ｃの終端側にカム突起４４を従動させ、雄コネクタ４０を雌コネクタ５０に対して接近させる。
【００８２】
その後、さらに雌コネクタ５０を挿入すると、図７（ｃ）及び図８（ｃ）に示すように、カム突起４４がカム溝５５ｃの終端に当接するとともに、係止アーム４５，４５が受け部５２の逃がし孔５２ｂ，５２ｂに収まり、雌コネクタ５０の受け部５２に雄コネクタ４０が完全嵌合される。
【００８３】
なお、機器２をインストルメントパネル１の収納部１ａから引き抜くと、図８（ｃ）の状態において、回転板５５の他方のレバー突起５５ｂが取付孔１ｂ周縁に当接し、上記挿入動作と逆の動作によって、雄コネクタ４０と雌コネクタ５０が分離される。
【００８４】
このような本実施形態の低挿入力コネクタによれば、上記第一及び第二実施形態の低挿入力コネクタと同様、インストルメントパネル１に機器２を取り付けると同時に、雄雌コネクタ４０，５０を互いに嵌合させることができるとともに、上記第一及び第二実施形態の低挿入力コネクタにおけるガイド部材３０を省略して、構成の簡単化と軽量化を図ることができる。
【００８５】
また、係止アーム４５，４５をインストルメントパネル１の取付孔１ｂに係止させることにより、該取付孔１ｂに挿入される雌コネクタ５０に対して、雄コネクタ４０を位置決め固定することができ、これら雄雌コネクタ４０，５０の嵌合をスムーズに行なうことができる。
【００８６】
【発明の効果】
以上のように、本実施形態の低挿入力コネクタによれば、二種以上の部材間の取り付けと同時に、両者のコネクタ嵌合を行なうことができるとともに、かかるコネクタ嵌合の低挿入力化を図れ、また、コネクタ間の嵌合の完了を触覚的及び視覚的に確認することができる。
【図面の簡単な説明】
【図１】本発明の第一実施形態に係る低挿入力コネクタを示す分解斜視図である。
【図２】上記低挿入力コネクタを設けたインストルメントパネルと機器を示す斜視図である。
【図３】同図（ａ），（ｂ），（ｃ）は上記低挿入力コネクタの挿入動作を示す説明図である。
【図４】同図（ａ），（ｂ），（ｃ）は上記低挿入力コネクタの抜き取り動作を示す説明図である。
【図５】本発明の第二実施形態に係る低挿入力コネクタを示すものであり、同図（ａ）はガイド部材の一側壁を示す一部切欠斜視図，同図（ｂ）は第二コネクタを示す斜視図である。
【図６】本発明の第三実施形態に係る低挿入力コネクタを示す分解斜視図である。
【図７】同図（ａ），（ｂ），（ｃ）は上記低挿入力コネクタの挿入動作を示す側面断面図である。
【図８】同図（ａ），（ｂ），（ｃ）は上記低挿入力コネクタの挿入動作を示す平面断面図である。
【図９】従来のプラグイン方式のコネクタを示す側面断面図である。
【図１０】従来のレバー式コネクタを示す側面断面図である。
【図１１】同図（ａ），（ｂ），（ｃ），（ｄ）は上記従来のレバー式コネクタの挿入動作を示す説明図である。
【符号の説明】
１              インストルメントパネル
１ｂ 取付孔
２              機器
１０            第一コネクタ
１１            ハウジング
１２            カム突起
１３ａ，１３ｂ  係止凹部（係止手段）
２０            第二コネクタ
２１            ハウジング
２２            受け部
２３            ガイド溝
２４            回転板
２５ａ，２５ｂ  レバー突起
２６            カム溝
２７            回動軸
２８ａ，２８ｂ  当接部
２９ａ，２９ｂ  摺動突条
３０            ガイド部材
３１ａ，３１ｂ  側壁
３２            リブ
３３ａ，３３ｂ  係止爪（係止手段）
３４ａ，３４ｂ  係止片（係止手段）
３５ａ，３５ｂ  摺動溝
４０            雄コネクタ
４２            雌端子収容室
４３            空間
４４            カム突起
４５            係止アーム
４６            係止リブ
５０            雌コネクタ
５２            受け部
５２ａ          切欠
５２ｂ          逃がし孔
５３            雄端子収容室
５４            他の空間
５５            回転板
５５ａ，５５ｂ  レバー突起
５５ｃ          カム溝
【図１】
0003570662.tif 000002
【図２】
0003570662.tif 000003
【図３】
0003570662.tif 000004
【図４】
0003570662.tif 000005
【図５】
0003570662.tif 000006
【図６】
0003570662.tif 000007
【図７】
0003570662.tif 000008
【図８】
0003570662.tif 000009
【図９】
0003570662.tif 000010
【図１０】
0003570662.tif 000011
【図１１】
0003570662.tif 000012